(57)【要約】【課題】廃瓦、スレート、タイルその他の窯業製品廃棄物（以下、被処理物。）の衝撃破砕又は圧潰粉砕を投入後自由落下方向に複式処理する。【解決手段】複式粉砕処理装置Ｘが、上下方向に開口し周壁を形成した機枠からなる粉砕室３と、該粉砕室３に収容され水平方向に近接対置した２基１対の粉砕ローター41(4);51(5),42(4);52(5) からなり、該粉砕ローター間に被処理物を導入して通過させることにより１パスの衝撃破砕又は圧潰粉砕をおこなう粉砕処理ユニット11(1),12(1) を具備する。各粉砕ローターの１基を駆動ローター41(4),42(4) とし、他の１基を空転ローター51(5),52(5) として軸装する。粉砕処理ユニットを上下方向に多段設置し、かつ、パス数に応じて可変構成することにより、ホッパー２投入した被処理物を自由落下させながら各段の粉砕ユニットに順次導入し通過させるようにしている。【選択図】      図１
2005125168.tif 000002
【特許請求の範囲】
【請求項１】
２以上の協働する回転子に取着した破砕刃を含む打撃部材により衝撃破砕又は圧潰粉砕をおこなう多軸粉砕処理装置において、
廃瓦、スレート、タイルその他の窯業製品廃棄物（以下、被処理物。）の衝撃破砕又は圧潰粉砕を投入後自由落下方向に複式処理するための窯業製品廃棄物の複式粉砕処理装置であって、
上下方向に開口し周壁を形成した機枠からなる粉砕室に収容され、２基の粉砕ローターを１対として水平方向に近接対置して軸装し、かつ、１基を駆動し、他の１基を空転させて１パスの粉砕処理をおこなう粉砕処理ユニットを有し、
前記粉砕処理ユニットを少なくとも上下２段に構設し、最上段からホッパー投入した被処理物を自由落下させながら各段の粉砕ローター間に順次導入し通過させるようにしたことを特徴とする窯業製品廃棄物の複式粉砕処理装置。
【請求項２】
２基の粉砕ローターが駆動ローターと空転ローターを１対とするものであり、それぞれの回転子がドラムであって、複数の打撃部材を前記ドラムの軸周り放射方向に等配設置し、かつ、その軸方向に列設したものである請求項１記載の窯業製品廃棄物の複式粉砕処理装置。
【請求項３】
２以上の協働する回転子に取着した破砕刃を含む打撃部材により衝撃破砕又は圧潰粉砕をおこなう多軸粉砕処理装置において、
廃瓦、スレート、タイルその他の窯業製品廃棄物（以下、被処理物。）の衝撃破砕又は圧潰粉砕を投入後自由落下方向に複式処理するための窯業製品廃棄物の複式粉砕処理装置であって、
上下方向に開口し周壁を形成した機枠からなる粉砕室と、該粉砕室に収容され水平方向に近接対置した２基１対の粉砕ローターからなり、該粉砕ローター間に被処理物を導入して通過させることにより１パスの衝撃破砕又は圧潰粉砕をおこなう粉砕処理ユニットを具備し、
前記粉砕ローターの回転子が複数の打撃部材を周設したドラムであって、１基を駆動ローターとし、他の１基を空転ローターとして軸装したものであり、
前記粉砕処理ユニットを上下方向に多段設置し、かつ、パス数に応じて可変構成することにより、最上段からホッパー投入した被処理物を自由落下させながら各段の粉砕ユニットに順次導入し通過させるようにしたことを特徴とする窯業製品廃棄物の粉砕処理装置。
【請求項４】
粉砕処理ユニットの外部に１又は複数の駆動源を設け、１の駆動源により多段方向に隣接する２基又は３基の駆動ローターをチェーン駆動するものである請求項２又は３記載の窯業製品廃棄物の複式粉砕処理装置。
【発明の詳細な説明】
【技術分野】
【０００１】
本発明は、２以上の協働する回転子に取着した破砕刃を含む打撃部材により衝撃破砕又は圧潰粉砕をおこなう多軸粉砕処理装置に係り、詳しくは、廃瓦、スレート、タイルその他の窯業製品廃棄物（以下、被処理物。）の衝撃破砕又は圧潰粉砕を投入後自由落下方向に複式処理するための窯業製品廃棄物の複式粉砕処理装置に関する。ここで、複式処理は多段階処理と同義である。
【背景技術】
【０００２】
従来より、本発明の被処理物や建材その他の固体原料を衝撃破砕又は圧潰粉砕により粉粒化する破砕機又は粉砕機が知られている。
【０００３】
ここでは、２以上の協働する回転子に取着した破砕刃を含む打撃部材により衝撃破砕又は圧潰粉砕をおこなう粉砕手段〔本発明に関し粉砕ローター〕を多軸構成し、かつ、段違いに配置して複式処理するようにしたものがみられる。
【０００４】
【特許文献１】特公平３−４９６１８号公報この「複式衝撃破砕機」では、２基の破砕ローターを階段状の併設し、原料のショートパスを防止し、製品粒度のトップサイズを小さくするものとしている。
【０００５】
【特許文献２】特開昭６０−１２１４３号公報この「２ロータ式衝撃粉砕機の駆動装置」にみられるように、１個のモータで２個のロータを異なる周速で回転させるようにしたものがある。
【０００６】
【特許文献３】実用新案登録第３０９１７６１号公報この「縦型破砕処理装置」は、先に本出願人が提案したものであり、破砕ローターを上下２段構成としてホッパー投入した被処理物を自由落下させながら該破砕ローターを潜らせて衝撃破砕をおこなうようにしている。
【発明の開示】
【発明が解決しようとする課題】
【０００７】
しかしながら、本発明の被処理物に関し、粉粒体（再生品）の製品粒度のトップサイズ（粉砕寸法）を所望の粒度以下に粉砕し、かつ、機械的に量産すれば、有効利用先がより拡大するとの期待がある。
【０００８】
ここで、技術解決課題は、２基１対の粉砕ローターを駆動ローターと空転ローターとして軸装することにより衝撃破砕や圧潰粉砕における被処理物の飛散を防止又は抑制すること、及び１パスの処理を担当する粉砕処理ユニットを上下多段方向に可変構成することにより複式処理のパス数を選択的に変更可能とする点にある。
【０００９】
また、生産現場での使用を考慮すれば、コンパクトかつ堅固で処理能力の高い静音設計の粉砕処理装置が要請される。
【００１０】
本発明は、このような事情に鑑みなされたものであって、上記課題を解消し、被処理物の衝撃破砕又は圧潰粉砕を投入後自由落下方向に複式処理するための窯業製品廃棄物の複式粉砕処理装置を提供するものである。
【課題を解決するための手段】
【００１１】
課題を解決するため本発明は、被処理物の衝撃破砕又は圧潰粉砕を投入後自由落下方向に複式処理するための窯業製品廃棄物の複式粉砕処理装置であって、
上下方向に開口し周壁を形成した機枠からなる粉砕室に収容され、２基の粉砕ローターを１対として水平方向に近接対置して軸装し、かつ、１基を駆動し、他の１基を空転させて１パスの粉砕処理をおこなう粉砕処理ユニットを有し、
前記粉砕処理ユニットを少なくとも上下２段に構設し、最上段からホッパー投入した被処理物を自由落下させながら各段の粉砕ローター間に順次導入し通過させるようにしたことを特徴とするものである。
【発明の効果】
【００１２】
本発明によれば被処理物に対して１パスの衝撃破砕又は圧潰粉砕（粉砕処理に同じ。）をおこなう２基１対の粉砕ローターを上下多段方向に可変構成し、複式処理に係るパス数を選択的に変更できるので、所望の粉砕寸法以下に効率良く粉砕処理できる。ここでは、２基１対の粉砕ローターの１基を駆動し、他の１基は空転するように軸装しているので、被処理物の飛散を防止又は抑制できる。しかも、静音設計が可能である。
【発明を実施するための最良の形態】
【００１３】
本発明を実施するための最良形態は、上記構成の粉砕処理ユニットにおいて、粉砕ローターの回転子が複数の打撃部材を周設したドラムであって、１基を駆動ローターとし、他の１基を空転ローターとして軸装したものであり、粉砕処理ユニットを上下方向に多段設置し、かつ、パス数に応じて可変構成することにより、最上段からホッパー投入した被処理物を自由落下させながら各段の粉砕ユニットに順次導入し通過させるようにしている。
【００１４】
ここで、粉砕処理ユニットの外部に１又は複数の駆動源を設け、１の駆動源により多段方向に隣接する２基又は３基の駆動ローターをチェーン駆動するものである。
【００１５】
本発明の実施例を添付図面を参照して以下具体的に説明する。
【実施例１】
【００１６】
図１は、本発明の第１実施例である複式粉砕処理装置（以下、第１実施例装置。）の正面視縦断面説明図である。
【００１７】
図２は、同じく右側面視説明図である。
【００１８】
図３は、同じく全体組立説明図であり、（ａ）が平面視、（ｂ）が正面視、（ｃ）が右側面視、及び（ｄ）がＡ矢視である。
【００１９】
図示するように、第１実施例装置Ｘは、粉砕処理ユニット１(11,12)を上下２段構成し、上段（第１段）にホッパー２を設けている。
【００２０】
粉砕処理ユニット１の構成は、上下方向に開口し周壁を形成した機枠からなる粉砕室３と、該粉砕室３に２基１対の粉砕ローター４；５を収設したものであり、ローター４；５間に被処理物を導入して通過させることにより１パスの衝撃破砕又は圧潰粉砕をおこなう。
【００２１】
２基１対の粉砕ローター４；５は、１基を駆動ローター４とし、他の１基を空転ローター５として、水平方向に近接対置して軸装している。廃瓦等の粘度製品は比較的重く、ローター４；５間に未粉砕片（未通過片）が滞留しがちで、しばしば機器強制的な巻き込みによる反撥や飛散が生じることあるが、１方のローターを駆動フリー（空転ローター５）にすることにより解消され（防止効果又は抑制効果）、静音で平滑な連続処理を進行することができる。
【００２２】
ここで、粉砕ローター４；５の回転子はそれぞれドラム4a；5a であって、複数の打撃部材4b；5b をドラムの軸周り放射方向に等配設置し、かつ、その軸方向に列設したものとしている。
【００２３】
また、粉砕ローター４；５の負荷又は被処理物の粉砕寸法を調整するために、空転ローター５(51,52)の支持装置にスライド固定手段６を設け、駆動ローター４(41,42)に対し離接方向に位置変更可能として、ローター４；５の設置離間距離を手動調整するようにしている。
【００２４】
２段構成の場合、下段（第２段）の粉砕処理ユニット12(1) の設置機枠にモーター８〔駆動源〕を延設して、モーター軸と上下段（第１、第２段）の各駆動ローター41(4),42(4) の軸間にチェーンベルト９〔動力伝達要素〕を巻回して同一方向に回転駆動する。なお、図中の符号７は張力調整ユニットである。
【００２５】
したがって、第１実施例装置Ｘの複式処理は、ホッパー２投入した被処理物を自由落下させながら上段（第１段）の粉砕ユニット11(1) に導入し通過させ、続いて下段（第２段）の粉砕ユニット12(1) に導入し通過させることにより、２段階（２パス）の粉砕処理をおこなうものである。
【実施例２】
【００２６】
図４は、本発明の第２実施例装置の正面視縦断面説明図である。
【００２７】
図示するように、第２実施例装置Ｙは、粉砕処理ユニット１(11,12,13)を上中下（第１、第２、第３段）に３段構成し、上段（第１段）にホッパー２を設けている。
【００２８】
粉砕処理ユニット１の構成は、第１実施例装置に用いたものと同様であるが、中段（第２段）の粉砕処理ユニット12(1) の下部機枠にモーター８〔駆動源〕を延設して、モーター軸と上中段（第１、第２段）の各駆動ローター41(4),42(4) の軸間にチェーンベルト９〔動力伝達要素〕を巻回するとともに、中下段（第２、第３段）の駆動ローター42(4)
,43(4) の各軸と張力調整ユニット７の空軸間にチェーンベルト９〔動力伝達要素〕を巻回して、それぞれの駆動ローター41(4),42(4),43(4) を同一方向に回転駆動するものとしている。
【００２９】
したがって、第２実施例装置Ｙの複式処理は、ホッパー２投入した被処理物を自由落下させながら上段（第１段）の粉砕ユニット11(1) に導入し通過させ、続いて中段（第２段）、さらに下段（第３段）の各粉砕ユニット12(1),13(1) に順次導入し通過させることにより、３段階（３パス）の粉砕処理をおこなうものである。
【実施例３】
【００３０】
図５は、本発明の第３実施例装置の正面視縦断面説明図である。
【００３１】
図示するように、第３実施例装置Ｚは、粉砕処理ユニット１(11,12,13,14)を最上段（第１段）、中上段（第２段）、中下段（第３段）、最下段（第４段）に４段構成し、最上段（第１段）にホッパー２を設けている。第１実施例装置Ｘを２台積み重ねた構造である。
【００３２】
４段構成の場合、中上段（第２段）と最下段（第４段）の粉砕処理ユニット12(1),14(1) の各設置機枠にそれぞれモーター８〔駆動源〕を延設している。１のモーターで最上段と中上段（第１、第２段）の各駆動ローター41(4),42(4) を回転駆動し、他のモーターで中下段と最下段（第３、第４段）の各駆動ローター43(4),44(4) を回転駆動する。
【００３３】
したがって、第３実施例装置Ｚの複式処理は、ホッパー２投入した被処理物を自由落下させながら最上段（第１段）の粉砕ユニット11(1) に導入し通過させ、続いて中上段（第２段）、中下段（第３段）さらに最下段（第４段）の各粉砕ユニット12(1),13(1),14(1) に順次導入し通過させることにより、４段階（４パス）の粉砕処理をおこなうものである。
【００３４】
なお、第１実施例装置Ｘと第２実施例装置Ｙを積み重ねた５段構成や第１実施例装置Ｘと第３実施例装置Ｚを積み重ねた６段構成の複式粉砕処理装置の構設も考慮されてよい。      
【００３５】
また、上記各実施例装置を横方向に連設し、装置間をベルトコンベヤを介して連絡し、それぞれの装置における複式処理を連系する実施形態を採用しても差し支えない。〔図示省略〕
【産業上の利用可能性】
【００３６】
本発明は以上の構成よりなるものであり、これによれば被処理物に対して１パスの衝撃破砕又は圧潰粉砕をおこなう２基１対の粉砕ローターを多段階に可変構成し、パス数を選択できるので、所望の粉砕寸法以下に効率良く粉砕処理できる。
【００３７】
ここでは、２基１対の粉砕ローターの１基を駆動し、他の１基は空転するように軸装しているので、被処理物の飛散を防止又は抑制できる。
【００３８】
また、下段の破砕ローラーをスライド固定することにより、破砕寸法を調整できるので、多種類の廃瓦に対応できる。
【００３９】
全体として、装置はコンパクト、静音、かつ堅固で量産性があり、窯業の分野における生産現場で窯業製品廃棄物の有効利用（再生）に大きく貢献することが期待できる。
【図面の簡単な説明】
【００４０】
【図１】第１実施例装置の正面視縦断面説明図である。
【図２】同じく右側面視説明図である。
【図３】同じく全体組立説明図であり、（ａ）が平面視、（ｂ）が正面視、（ｃ）が右側面視、及び（ｄ）がＡ矢視である。
【図４】第２実施例装置の正面視縦断面説明図である。
【図５】第３実施例装置の正面視縦断面説明図である。
【符号の説明】
【００４１】
１  粉砕処理ユニット
11  粉砕処理ユニット（第１段）
12  粉砕処理ユニット（第２段）
13  粉砕処理ユニット（第３段）
14  粉砕処理ユニット（第４段）
２  ホッパー
３  粉砕室（共通）
４  破砕ローター〔駆動ローター〕
41  駆動ローター（第１段）
42  駆動ローター（第２段）
43  駆動ローター（第３段）
44  駆動ローター（第４段）
4a  ドラム
4b  打撃部材
５  破砕ローター〔空転ローター〕
51  空転ローター（第１段）
52  空転ローター（第２段）
53  空転ローター（第３段）
54  空転ローター（第４段）
5a  ドラム
5b  打撃部材
６  スライド固定手段〔支持装置〕
７  張力調整ユニット
８  モーター〔駆動源〕
９  チェーンベルト〔動力伝達要素〕
Ｘ  複式粉砕処理装置〔第１実施例装置〕
Ｙ  複式粉砕処理装置〔第２実施例装置〕
Ｚ  複式粉砕処理装置〔第３実施例装置〕
【図１】
2005125168.tif 000003
【図２】
2005125168.tif 000004
【図３】
2005125168.tif 000005
【図４】
2005125168.tif 000006
【図５】
2005125168.tif 000007